(57)【要約】【課題】本発明は、空間部を有する屋内施設において、間仕切り用・防球用としてネット等の吊張体を緊張状態に吊り張りすることができ、ネット等の吊張体を移動する場合においてもスムーズに移動することのできる吊張体の吊り張り方法を提供することを課題とする。【解決手段】屋内施設の空間部の対向する壁面側／壁面の両端側に吊り張りしたロープＡに移動自在に設けられたネット等の吊張体を、該ロープＡに並行して設けられ、吊張体の一端側が固定されたロープＢをウインチを用いて移動することで吊張体を開閉して空間部を間仕切り／防球用とする吊張体の吊り張り方法において、前記吊張体の設けられたロープＡとウインチで移動するロープＢとを少なくとも一方の壁面側で調整手段を用いて同時に緊張する吊張体の吊り張り方法である。【選択図】図１
2008119428.tif 000002
【特許請求の範囲】
【請求項１】
屋内施設の空間部の対向する壁面側／壁面の両端側を支点として吊り張りしたロープＡに移動自在に設けられたネット等の吊張体を、該ロープＡに並行して設けられ、吊張体の先端側が取り付けられたロープＢをウインチを用いて移動することで吊張体を開閉して空間部を間仕切り／防球用とする吊張体の吊り張り方法において、前記吊張体の設けられたロープＡとウインチで移動するロープＢとの撓みをそれぞれ調整した後、少なくとも一方の支点の壁面側で調整手段を用いて同時に緊張することを特徴とする吊張体の吊り張り方法。
【請求項２】
前記吊張体の上端側、又は吊張体の設けられたロープＡ及びウインチで移動するロープＢを天井又は吊張体の上部側を支点として吊り下げられた吊下支持体で連結することでロープＡ又は／及びロープＢの撓みを調整する請求項１に記載の吊張体の吊り張り方法。
【請求項３】
屋内施設の空間部の対向する壁面側／壁面の両端側を支点としてそれぞれに設けられたウインチを用いてネット等の吊張体の設けられたロープＣを緊張することでネット等の吊張体で空間部を間仕切り／防球用とする吊張体の吊り張り方法において、前記吊張体の上端側を天井又は吊張体の上部側を支点として吊り下げられた吊下支持体で連結することでロープＣの撓みを調整することを特徴とする吊張体の吊り張り方法。
【請求項４】
屋内施設の空間部の対向する壁面側／壁面の両端側を支点として設けられたレールにロープＤを移動すことで該ロープＤに設けられたネット等の吊張体を開閉移動することで空間部を間仕切り／防球用とする吊張体の吊り張り方法において、前記レールを天井又は吊張体の上部側を支点として吊り下げられた吊下支持体で連結することでレールを床面に対して水平状態に調整することを特徴とする吊張体の吊り張り方法。
【請求項５】
前記各ロープに設けられたネット等の吊張体を振動手段で振動を付与しながら移動する請求項１乃至４に記載の吊張体の吊り張り方法。
【発明の詳細な説明】
【発明の技術分野】
【０００１】  本発明は、空間部を有する屋内施設を使用目的に応じて、ネット、シート体、等の吊張体で区画、間仕切り又は防球用とするための屋内施設におけるネット等の吊張体の吊り張り方法に関する。
【技術背景】
【０００２】  従来より天候に左右されることなく使用することを目的とした空間部を有する体育館等のスポーツ用の屋内施設、及び近年建設されている大きな空間部を有する屋内施設、例えば、バスケット等の球技の試合用コート、又は野球の練習場として使用する屋根付き雨天練習場、野球の試合又は各種イベントを開催するのに使用する屋根付き球場が一般に知られている。
【０００３】  これらの屋内施設を使用する場合、例えば、バスケットやテニス等の試合／練習用として使用する場合、ワイヤロープに取り付けられたネット又はシートを用いて屋内空間部をコート間の間仕切り用として、又は野球の練習として使用する場合はその練習の効率化（内野外野の連係練習と打撃練習と投球練習とに分ける場合等）を図る間仕切り用として、屋内空間部を対向する壁面を支点としてワイヤロープに取り付けられたネット又はシートを用いて吊り張りし、さらに安全対策としての防球用（観客席への球の飛び込み防止）としてネット又はシートを用いて壁面に沿って周囲を囲むように吊り張りしている。
【０００４】  上記間仕切り用及び防球用のネット又はシートは、一般に屋内施設の天井側又は周辺部に設けられた固定式のワイヤロープに設けられたネット又はシートと、不要の際に収納すべくワイヤロープにより開閉移動可能なネット又はシートを組み合わせて構成された移動式のネット又はシートとから構成されている。
【０００５】  これらの移動式のネット又はシートの方式としては、従来よりカーテンや緞帳の移動方式がそのまま利用されている。
【０００６】  具体的には、屋内の間仕切りする空間部の対向する壁面を支点としてネットの取り付けられたワイヤロープＣを水平に吊り張り（両壁面に滑車を取り付けて無端状に吊り張りする）し、ウインチでワイヤロープＣを移動（直接ウインチで駆動、又は一方の滑車をワイヤロープＣを介して駆動）することで該ワイヤロープＣに取り付けられたネットを開閉移動して空間部を間仕切りする方式（第１の方式）や、屋内の間仕切りする空間部の対向する壁面を支点としてワイヤロープＢを水平に無端状に吊り張り（両壁面に滑車を取り付けて無端状に吊り張りする）し、該ワイヤロープＢに並行して固定式（両端側を壁に固定した）のワイヤロープＡを吊り張りし、ワイヤロープＡにリング等でネットを移動自在に取り付けるとともに、ワイヤロープＢにネットの先端側を固定し、ワイヤロープＢをウインチで無端状に移動することでネットを開閉移動して間仕切りする方式（第２の方式）である。
【０００７】  また、防球用としては、屋内の壁面の両端側を支点として床面に並行してレールを設け、ネットの連結されたローラーをレールに沿って移動可能に設け、該ローラーをそれぞれワイヤロープＤに連結することで、ウインチでワイヤロープＤを移動するとローラーがレールに沿って移動しネットを開閉する方式（第３の方式）、あるいは、天井側よりウインチに連結された複数のワイヤロープを吊り下げ、該ワイヤロープを昇降移動することでネットを昇降する方式（第４の方式）である。
【特許文献１】実用新案公告第１６０８０号
【特許文献２】特公平５−６１９２４号
【発明が解決しようとする課題】
【０００８】  しかしながら、上記屋内施設の空間部は、各種のスポーツを行うことを主目的とし上下方向（高い天井）及び左右・前後方向ともに広く形成された空間部であるために、対向する壁面間又は天井よりの吊り下げられるワイヤロープの長さがカーテンや緞帳の移動方式で考えられている一般的な長さに比し著しく長く、またワイヤロープに設けられるネットの面積も大きくなる。このため、ワイヤロープ自身の総質量及びネットの荷重がワイヤロープに直接かかり、ワイヤロープを吊り張りした状態でもワイヤロープの中央部が下方側へ撓み（ワイヤロープの撓み量はワイヤロープの長さに比例して大きくなる）、また、ネット移動時にはさらにネットの荷重の移動がありその部分でワイヤロープには下方側への撓みが生じる。これらの理由により、上記のようなカーテンの移動方式では下記のような多くの問題点があった。
【０００９】  先ず上記第１の方式では、ワイヤロープ自身の総質量とネットの荷重とがワイヤロープＣに直接かかり、ワイヤロープの弾性による伸びが大きく、初期設置時のテンションのみでは撓み量を調整することができない。解消する手段としてはワイヤロープＣの強度（材質、径の拡大）を選択する必要があるが、強度と重量とは比例しているために強度のあるワイヤロープを選択するほどワイヤロープの中央部に下方側への撓みが生じやすくなるという欠点があり、また強度のあるワイヤロープＣを移動する場合はウインチの大型化（強い駆動力）が必要となり、全体の移動システムに使用する各部材がコスト高となる。
【００１０】  また、第２の方式では、ワイヤロープ自身の総質量のためにワイヤロープＢの中央部が下方に大きく撓み、またワイヤロープＡには常にネットの荷重がかかって撓むために、設置時に各ワイヤロープそれぞれの一方の支点側又は両支点側に別々の強いテンション（ワイヤーＢの場合は滑車に直接テンションを設ける）を設ける必要があるが、ネットの開閉時に、ネットの先端部を固定して移動するワイヤロープＢには強い張力と荷重とがかかる部分と滑車を介して逆方向に移動しワイヤロープの重量以外の荷重のかからない部分とに荷重差が発生し、第１の方式と同様にワイヤロープの弾性による伸びが大きく初期設置時のテンションのみでは撓み量を調整することができない。また、初期設置時のテンションを必要以上に大きくすると、この大きなテンションにより各ワイヤロープの消耗が激しく頻繁なメンテナンスを必要とする。
【００１１】  また、第３の方式ではレールの設置する距離が長くなるために、複数のレールを繋がなければならずレール自身の総質量により、レールの継ぎ目部分が床面に対して平行を維持することができない。
【００１２】  また、第４の方式は、空間部全面を１枚のネットで間仕切り／防球用としているためにその荷重が大きくなり、その荷重を複数のワイヤロープで分散する必要がある。このため、ワイヤロープを昇降移動するウインチの数も多く必要であり設置コストが高いという欠点がある。
【００１３】  また、上記各方式ともにワイヤロープ自身の総質量及びネットの荷重による撓みのために、ネットを吊り張りした場合に該ワイヤロープの中央部が壁面に取り付けられた両支点に比し５％以上下方に撓みこの部分が天井部との間に大きな隙間を形成し、その隙間より球技用の球が飛び込み、間仕切り及び防球用としての機能を十分に果たさない。
【００１４】  また、上記ワイヤロープに撓みが生じると、水平の方向の場合に比しスムーズなワイヤロープの移動ができなく、ウインチに必要以上の駆動力を必要とする。
【００１５】  また、他の問題点として上記各方式において、ワイヤー部分については壁面へ固定されているために間仕切り位置の変更ができなく、このため、ネットを使用しない時にワイヤーが目障りとなる問題もある。
【００１６】  そこで、本発明は、空間部を有する屋内施設において、間仕切り用／防球用としてネット等の吊張体を常に緊張状態に吊り張りすることができ、ネット等の吊張体を移動する場合においても、スムーズに移動することのできる吊張体の吊り張り方法を提供することを目的とする。
【課題を解決するための手段】
【００１７】  本発明は、上記目的を達成するための第１の手段の吊張体の吊張方法は、請求項１の記載より、屋内施設の空間部の対向する壁面側／壁面の両端側を支点として吊り張りしたロープＡに移動自在に設けられたネット等の吊張体を、該ロープＡに並行して設けられ、吊張体の先端側が取り付けられたロープＢをウインチを用いて移動することで吊張体を開閉して空間部を間仕切り／防球用とする吊張体の吊り張り方法において、前記吊張体の設けられたロープＡとウインチで移動するロープＢとの撓みをそれぞれ調整した後、少なくとも一方の支点の壁面側で調整手段を用いて同時に緊張することを特徴とする
【００１８】  また、上記第１の手段において、請求項２の記載より、吊張体の上端側、又は吊張体の設けられたロープＡ及びウインチで移動するロープＢを天井又は吊張体の上部側を支点として吊り下げられた吊下支持体で連結することでロープＡ又は／及びロープＢの撓みを調整することを特徴とする。
【００１９】  上記目的を達成するための第２の手段の吊張体の吊張方法は、請求項３の記載より、屋内施設の空間部の対向する壁面側／壁面の両端側を支点としてそれぞれに設けられたウインチを用いてネット等の吊張体の設けられたロープＣを緊張することでネット等の吊張体で空間部を間仕切り／防球用とする吊張体の吊り張り方法において、前記吊張体の上端側を天井又は吊張体の上部側を支点として吊り下げられた吊下支持体で連結することでロープＣの撓みを調整することを特徴とする。
【００２０】  上記目的を達成するための第３の手段の吊張体の吊張方法は、請求項４の記載より、屋内施設の空間部の対向する壁面側／壁面の両端側を支点として設けられたレールにロープＤを移動すことで該ロープＤに設けられたネット等の吊張体を開閉移動することで空間部を間仕切り／防球用とする吊張体の吊り張り方法において、前記レールを天井又は吊張体の上部側を支点として吊り下げられた吊下支持体で連結することでレールを床面に対して水平状態に調整することを特徴とする。
【００２１】  また、上記目的を達成するために、請求項５より各ロープに設けられたネット等の吊張体を振動手段で振動を付与しながら移動することである。
【作用及び効果】
【００２２】  本発明の第１の手段の吊張体の吊張方法は、屋内施設の空間部の対向する壁面側を支点としてロープＡを吊り張りし、該ロープＡに移動自在にネット等の吊張体を設け、該ロープＡに並行し吊張体の一端側を固定したウインチにより移動するロープＢを吊り張りした後、ウインチを駆動することで吊張体をロープＡに沿って開閉移動して空間部を間仕切りする。
【００２３】  また、屋内施設の空間部の対向する壁面の両端側を支点としてロープＡを吊り張りし、該ロープＡに移動自在にネット等の吊張体を設け、該ロープＡに並行し吊張体の一端側を固定したロープＢをウインチにより移動した後、ウインチを駆動することで吊張体をロープＡに沿って開閉移動して防球用として使用することができる。
【００２４】  この際、吊張体の設けられたロープＡとウインチで移動するロープＢとの撓みを予めそれぞれ調整した後、少なくとも一方の支点の壁面側で調整手段を用いてロープＡとロープＢとを同時に緊張して各ロープを同時に壁面に取り付けることで、従来のテンションの初期設定に比し二重に両ロープのテンションを調整することができる。
【００２５】  また、上記吊張体を移動して屋内施設の空間部を間仕切り／防球用として使用することで、ロープＡとロープＢとに撓みが発生すると、前記調整手段を用いることで同時にロープＡとロープＢと緊張して撓みを解消することができる。
【００２６】  このため、各ロープの初期設定時のテンションを必要以上に大きくする必要がなく、また、各ロープを別々に調整する必要がないので、メンテナンスにかかる時間、労力を大幅に削減することが可能となる。
【００２７】  また、上記調整手段のみで各ロープを緊張することができない場合（特に支点間の距離が長くロープの撓みが大きい場合）においては、吊張体の上端側を天井又は吊張体の上部側を支点として設けられた吊下支持体に連結して直接吊り上げる、又は吊張体の設けられたロープＡ及びウインチで移動するロープＢを天井又は吊張体の上部側を支点に吊り下げられた吊下支持体に連結して吊り上げることで、各ワイヤーの撓みを調整することができる。
【００２８】  この際、吊下支持体による連結は、ロープＡのみ、ロープＢのみ、又はロープＡとロープＢとを同時に連結することができるために、各ロープの撓みに応じて吊り上げることができる。
【００２９】  次に第２の吊張体の吊張方法は、屋内施設の間仕切りを必要とする方向の対向する両壁面側を支点としてその位置にそれぞれウインチを設け、該ウインチでロープＣを巻き取る方向に移動することで、それぞれのロープＣの先端部分に連結された間仕切り用として吊り張りされたネット等の吊張体を空間部に緊張状態に吊り張りする。
【００３０】  この際、ロープＣ自身の総質量及び吊張体の荷重によりロープＣの中央部分が撓み下方に位置すると、吊張体の上端側を天井又は吊張体の上部側を支点として吊り下げられた吊下支持体で連結し、吊張体を吊り下げることでロープＣの撓みを調整する。
【００３１】  次に第３の手段の吊張体の吊張方法は、屋内施設の間仕切りを必要とする方向の屋内施設の対向する両壁面側を支点としてそれぞれレールを設け、レールに設けられたロープを移動すことでネット等の吊張体を開閉移動する。これにより空間部をレールに沿って間仕切り用として使用することができる。
【００３２】  また、屋内施設の空間部の壁面の両端側を支点としてレールを設け、レールに設けられたロープＤを移動すことで該ロープＤに設けられたネット等の吊張体を開閉移動する。これにより空間部の壁面に沿って吊張体を吊り張りし防球用として使用することができる。
【００３３】  この際、レールは天井又は吊張体の上部側より吊り下げられた吊下支持体で連結されているために、床面に対して水平状態を維持することができ、ネット等の吊張体をレールに沿ってスムーズに開閉移動することができる。
【００３４】  また、各ロープに設けられたネット等の吊張体をロープで移動する際に、振動手段を用いて吊張体に振動を付与しながら移動する／又は吊張体の移動後に振動を付与することで、吊張体を一定状態にすることができるので、ロープに係る荷重が偏らずロープ及び吊張体を床面に対して水平状態に維持することができる。
【００３５】  このように、本発明の吊張体の吊張方法は、空間部の屋内施設においてネット等の吊張体の荷重によりロープの中央部が両端側に比し下方に撓むことを防止し間仕切り効果及び防球効果を高めるとともに、ネット等の吊張体のスムーズな移動を行うことができるために、従来のように初期設定でロープの両端側に強いテンションを必要とすることなく設置でき、ロープの磨耗を極力抑えることができる。
【００３６】  またネット等の吊張体の設けられたロープを常に緊張状態に維持することができるので、空間部を自在に間仕切り又は防球用として有効に利用することができる。
【００３７】  また、長期間ネット等の吊張体を設けた状態でも調整手段により両ロープを同時に緊張することができるために、撓みが生じても従来に比しその撓みを容易に調整することができる。
【００３８】  また、ロープの弾性による伸びによる撓みに対しても同様に調整手段により両ロープを同時に緊張することができる。
【００３９】  また、調整手段によるロープの緊張では十分に対応することができない場合において、吊下支持体によりロープを緊張状態に維持することができる。
【００４０】  また、吊下支持体のみでロープを緊張状態に維持することも可能である。
【００４１】  また、大空間部においても吊張体の上端側、ロープＡ及びロープＢ、又はレールは床面に対して水平状態に維持することができ、しかも吊張体の荷重を吊下支持体に分散することができるので、ウインチでそれぞれのロープをスムーズに移動してネット等の吊張体を間仕切り／防球用として使用することができる。
【００４２】  また、各ロープへかかる吊張体の荷重が分散されているために、ロープの消耗が従来の方法に比し少なく、故障の原因を排除しメンテナンスの頻度を少なくすることができる。
【００４３】  また、レールを使用してネット等の吊張体で間仕切り又は防球用として使用する場合でも、ネット等の吊張体の重量及びレールの重量によりレールの継ぎ目部分で段差が発生することなく、床面に対して水平に維持できるのでスムーズな移動を可能とする。
【００４４】  さらに間仕切り位置を変更する場合は、各ロープを壁面より取り外して容易に収納することができるので、ロープを取り外して屋内施設の利用範囲を拡大することができる。
【実施の形態】
【００４５】  本発明のネット等の吊張体の吊張方法は、空間部の間仕切り用／防球用として使用し、その実施例を図面に沿って説明する。
【００４６】  図１は本発明の実施例で間仕切り用として使用するネット等の吊張体の吊張方法を示す概略説明図であり、図２、図３は図１のネット等の吊張体の吊張方法で吊下支持体の設けられた他実施例を示す概略説明図である。
【００４７】  図４乃至図９は緊張調整手段を示し、図４は緊張調整手段としての固定枠の壁面への取り付け状態を示す概略説明側面図であり、図５は緊張調整手段としての固定枠の壁面への取り付け状態の他実施例を示す概略説明側面図であり、図６は緊張調整手段としての固定枠の他実施例を示す概略説明側面図であり、図７は緊張調整手段としての固定枠の他実施例を示す概略説明平面図であり、図８は緊張調整手段としての固定枠の調整を示す概略説明側面図であり、図９は緊張調整手段としての固定枠の調整の他実施例を示す概略説明側面図である。
【００４８】  図１０及び図１１はネット等の吊張体の吊張方法で吊下支持体の他実施例を示し図１０は吊下支持体１本の場合のネット等の吊張体の吊張方法を示す概略説明図であり、図１１は吊下支持体２本の場合のネット等の吊張体の吊張方法を示す概略説明図である。
【００４９】  図１２乃至図１５は吊下支持体の先端側に取り付けられた連結具を示し、図１２及び図１３はロープへの連結体の取り付け状態を示す概略正面図であり、図１４及び図１５はロープへの連結体の取り付け状態を示す概略側面図である。
【００５０】  図１６及び図１７は各ロープの弛みを示し、図１６は各ロープに弛みが生じた場合を示す概略説明図であり、図１７はロープの略中央部の弛みを示す概略説明図である。
【００５１】  図１８及び図２１はロープでネット等の吊張体を吊張する方法を示し、図１８はロープでネット等の吊張体を吊張する方法を示す概略説明図であり、図１９は図１８のネット等の吊張体の取り外し工程を示す概略説明図であり、図２０は図１８のネット等の吊張体の収納工程を示す概略説明図であり、図２１は図１８のウインチの他実施例を示す概略説明図である。
【００５２】  図２２はレールに設けられたネット等の吊張体の吊張方法を示す概略説明図である。
【００５３】  図２３乃至図２４は防球用として使用するネット等の吊張体の吊張方法を示し図２３は防球用として使用するネット等の吊張体の吊り張り位置を及び間仕切り用として使用するネット等の吊張体の吊り張り位置を示す概略説明図であり、図２４は壁面に取り付ける角度調整支持体を示す側面図である。
【００５４】  図２５乃至図２７は屋内施設に設置する吊張体の全体構造を示し、図２５は屋内施設に設置する吊張体の全体構造を示す概略説明図であり、図２６は空間部を天井側に設けられた固定ネットと該固定ネットにより吊下支持体で吊り下げした水平ネットとを示す概略説明図であり、図２７は屋内施設に設置した吊張体の間仕切り状態を示す概略説明図である。
【００５５】  図２８は、ネット等の吊張体に振動を与える振動手段の実施例を示す概略図である。
【００５６】  先ず屋内施設の空間部の間仕切り用（Ｇ）として使用するネット又はシートの吊張体の吊り張り方法の第１の実施例について説明する。
【００５７】  第１の実施例による吊張体の吊り張り方法に使用する各装置は、空間部の対向する側壁面３０の上部側それぞれを支点として取り付けられた滑車１１と、一方の支点の下方壁面に取り付けられたエンドレス状のウインチ１０と、該滑車１１間とウインチ１０の間にエンドレス状に吊り張りしたウインチロープ１２（ロープＢ）と、ウインチロープ１２の近接する下方で並行し、側壁面３０に吊り張りしたガイドロープ１３（ロープＡ）と、ガイドロープ１３に取付具を介して移動自在に設けられ、一方の先端側をウインチロープ１２に連結したネットからなる吊張体４とから構成されている（図１参照）。
【００５８】  前記ウインチロープ１２及びガイドロープ１３の荷重や張力による撓みは、初期設定時に計算されたテンション手段で調整しておく。即ち、前記ウインチロープ１２自身の総重量、及び吊張体４の一端に連結された吊張体４による張力は予め計算し、滑車１１部分に設けられたテンションで調整しておき、またガイドロープ１３自身の総重量、及び吊張体４の荷重を予め計算しターンバックル等のテンション手段で調整しておく。
【００５９】  ロープＡとロープＢとの種類は、現状ではワイヤーを一般的に使用するが、現在開発されている強度のある樹脂性のロープも含むものである。
【００６０】  尚、ガイドロープ１３の数は空間部の間仕切り方法に応じて増加することが可能であり、例えば、吊張体４を中央で開閉する場合においては２本ガイドロープ１３にそれぞれ吊張体４を設けることで中央より開閉移動することができ（図３参照）、また、２本のウインチロープ１２に２本のガイドロープ１３の先端をそれぞれ連結することで２枚の吊張体４を開閉移動するように構成することも可能である（図６、図７参照）。
【００６１】  ウインチロープ１２用の滑車１１とガイドロープ１３との端部は前記初期設定された後、それぞれ一体として調整手段を介して支点となる側壁面３０に取り付けられている。
【００６２】  前記調整手段はウインチロープ１２用の滑車１１とガイドロープ１３の端部とを取り付ける板状の取付枠１６と、該固定枠１６を側壁面３０に取り付ける棒状の調整体１６ａとから構成されている。従って、調整体１６ａを直接側壁面３０に形成された孔に挿入することにより側壁面３０間の距離Ｍ１を調整して（予め調整体１６ａの長さを調整又はネジ状に形成して孔への挿入量を調整する）ウインチロープ１２とガイドロープ１３とのテンションを同時に調整する（図４、図６参照）。
【００６３】  尚、調整体１６ａは上記のように直接側壁面３０に挿入する場合に限定されるものでなく、調整体１６ａを側壁面３０への固定体１６ｂに連結する方法でも可能である。この場合は、取付枠１６と固定体１６ｂ間の距離Ｍ２を上記と同様に調整することでウインチロープ１２とガイドロープ１３とのテンションを調整する（図５参照）。
【００６４】  また、上記のように２本ガイドロープ１３にそれぞれ吊張体４を設ける場合は、一本のウインチロープ１２又は２本のウインチロープ１２を使用するがこの場合においても同様に固定枠１６に取り付けることで、上記のように各ロープのテンションを調整することができる。
【００６５】  また、調整手段の他の例としては、上記取付枠１６を調整体１６ａを介して側壁面３０に直接取り付けるのではなく、一方の取付枠１６に直接連結された調整用のロープ１７と、該ロープ１７を巻取／引出する調整ウインチ１８とを設ける構成である。
【００６６】  この場合は、調整ウインチ１８でロープ１７を巻き取ることで、取付枠１６を壁面３０側に引っ張りウインチロープ１２とガイドロープ１３とにテンションを負荷することができる。特に、長期間の使用によりウインチロープ１２とガイドロープ１３の弾性伸びが生じる場合に、その伸びに応じて微調整することができる。また、調整ウインチ１８を床面近傍に位置させることで、操作をより容易に行うことができる（図８参照）。
【００６７】  また、上記調整ウインチ１８を利用して、ウインチロープ１２、ガイドロープ１３及び吊張体４のメンテナンスや収納用として使用することもできる。この場合は、先ず調整ウインチ１８をテンションを付与する場合とは逆方向に回転駆動し、ロープ１７を引き出すことで、ウインチロープ１２とガイドロープ１３とを床面側に移動し、ロープ１７を取付枠１６より取り外す又は取付枠１６よりウインチロープ１２とガイドロープ１３とを取り外すことで、吊張体４及び各ロープを容易に収納又はメンテナンスすることができる。
【００６８】  また、ロープ１７を少しだけ引き出すことで、取付枠１６を壁面３０より取り外して移動し、他の取り付け位置の壁面３０に再度取り付けることで、取り付け位置を変更することができる。これにより、屋内の空間部を使用する目的，種類に応じて自在に間仕切り／防球用として使用することができる。
【００６９】  さらに、取付枠１６へのウインチロープ１２とガイドロープ１３との取り付け方法は上記各実施例に限定されるものでなく、ウインチロープ１２は上記と同様に滑車１１を介してエンドレス状に取付枠１６に取り付け、ウインチロープ１２より吊張体４による荷重のかかるガイドロープ１３は取付枠１６に設けられた滑車１３ｋを介して支点となる壁面３０の下方側（又は、後方側）に設けられた巻取式のウインチ１８に巻き取ることで、ウインチ１８によりテンションの調整を行うことも可能である。この場合も上記と同様に、ウインチ１８が下方の床面側にあるためにガイドロープ１３の撓みの調整が従来に比し簡易に行える（図９参照）。
【００７０】  また、上記調整手段は一方の側壁面３０のみに設け、他方の側壁面３０にはウインチ１０を直接取り付けることで、ウインチロープ１２をエンドレス状に移動すべく構成することも可能である。
【００７１】  上記吊り張り方法は、ウインチロープ１２とガイドロープ１３との中央部が水平の状態を維持できる範囲（撓み距離Ｌが少ない場合）であれば、スムーズに吊張体４を移動することができるが、壁面３０間の距離が長くウインチロープ１２とガイドロープ１３との総質量及びガイドロープ１に取り付けられた吊張体４の荷重が大きい場合は撓み距離Ｌが大きくなり、上記調整手段のみでは十分に対応することができない。この場合はウインチロープ１２とガイドロープ１３との中央部又は複数部分に、連結具５を取り付け該連結具５を天井を支点として取り付けられた吊下支持体６（例えば、ロープ等の紐状体、又は線状体）に取り付けることで、撓んだ距離Ｌ部分を上方に位置させてウインチロープ１２とガイドロープ１３とを水平の状態に維持する（図２、図３、図１０参照）。
【００７２】  この際、吊下支持体６を上下方向に昇降移動すべく天井３１に吊下用のウインチ７を設けることで、該ウインチ７を駆動して吊下支持体６の天井よりの長さを自在に調整することができ、ウインチロープ１２とガイドロープ１３との撓みを微調整することができ、ウインチロープ１２とガイドロープ１３とを床面に対して常に水平状態に位置させることができる。
【００７３】  従って、壁面３０間の距離が長い場合であってもウインチロープ１２をスムーズに移動し、ガイドロープ１３に設けられた吊張体４を開閉移動することができる。
【００７４】  また、ウインチ７の取り付け位置は、上記のように天井３１を支点として取り付ける場合に限定されるものでなく、例えば、天井３１の支点位置に滑車１４を設け、ウインチ１０の外周に駆動軸を同軸として巻取リール１５を取り付けることで、吊下支持体６の長さを調整することも可能であり、また壁面３０に別体のウインチを取り付けることで吊下支持体６の長さを調整することも可能である（図１０参照）。
【００７５】  また、吊下支持体６の他の取り付け方法は、例えば、２本のガイドロープ１３にそれぞれ吊張体４を介して連結具５を連結することで、吊張体４の荷重のかかる位置が相違する場合であっても容易に対応することができ、また、ウインチロープ１２のみを連結具５で連結することも、又ガイドロープ１３のみを連結具５で連結することも可能である（図１１参照）。
【００７６】  上記連結具５の構成は、上下のウインチロープ１２を支持・移動するための滑車５ｂが設けられた連結具本体５ａと、ガイドロープ１３を支持・移動するためのレール部５ｃとから構成され、連結具本体５ａはレール部５ｃに回動自在に軸支されている。このため、ウインチロープ１２の移動時に連結具本体５ａが移動方向に傾斜し、支持部分でのウインチロープ１２とガイドロープ１３とに弛み等が発生せずスムーズな移動を可能とする。また、滑車５ｂにより上下方向のウインチロープ１２間が離反するのを防止することができるので、吊張体４の先端側か連結されたウインチロープ１２に吊張体４の荷重が負荷された場合であってもウインチロープ１２の移動に支障をきたすことがなくスムーズな移動を可能とする。尚、レール部５ｃの形状はカバー５ｄを取り付けることで簡易に形成することも可能である（図１２、図１３、図１４、図１５参照）。
【００７７】  また、ガイドロープ１３への吊張体４の取り付けは逆Ｕ字状の取付具１３ａに設けられた滑車１３ｂを介して取り付けることで、移動自在に設けることもできる。
【００７８】  この場合において、最適な連結具５の構成は、取付具１３ａの側面に一方のウインチロープ１２を移動自在に位置させ、他方のウインチロープ１２を滑車５ｂの設けられた連結具本体５ａに設け、滑車５ｂの下方側の連結具本体５ａ部分に吊張体４が連結された取付具１３ａのガイドロープ１３を載置して移動する移動台５ｃと、該移動台５ｃのカバー体５ｄとから構成する。このため、ガイドロープ１３に設けられた吊張体４は、自由に連結具５の移動台５ｃに沿って通過することができ、吊張体４を自由に開閉することができ、分割した吊張体４をガイドロープ１３に設けた場合でも、それぞれの吊張体４を自由に開閉できる。
【００７９】  また、エンドレス状のウインチロープ１２が上記のように上下に位置してなく例えば、水平方向に位置している場合は、上記滑車５ｂを並行して２個取り付けることで対応することができる（図７参照）。
【００８０】  上記第１の吊張体の吊り張り方法は上記のように構成された各装置を用いることで、吊張体の吊り張りすることができる。次に、その吊り張り方法について説明する。
【００８１】  先ず、取付枠１６を屋内空間部の対向する側壁面３０上部側を支点として取り付け、該取付枠１６にウインチロープ１２とガイドロープ１３とを取り付ける。
この際ガイドロープ１３には吊張体４を移動自在に（吊張体４の上部に設けられた吊具（図示せず）にガイドロープ１３を挿通して）取り付ける。
【００８２】  上記取付枠１６と各ロープとの取付けは、ウインチロープ１２はエンドレス状に取り付ける必要があるために滑車１１（滑車１１はテンションを介して取付枠１６に取り付ける）を介して取り付け、ガイドロープ１３はターンバックル等のテンション手段を介して取り付ける。各ロープに前記テンション手段を設けることは必須の条件ではない。
【００８３】  また、取付枠１６の側壁面３０への取り付け方法は、調整体１６ａを側壁面３０に穿設された長孔に螺合して取り付ける。この際、前記テンション手段による調整をさらにガイドロープ１３にかかる吊張体４の荷重及びロープ自身の総質量を考慮して調整体１６ａの長孔への挿入する長さを調整することで、ウインチロープ１２とガイドロープ１３とを同時に微調整して屋内空間部の床面に対して略並行状態に維持することができる。
【００８４】  次に、ウインチ１０を一方の滑車１１の下方側の側壁面３０に取り付け、該ウインチ１０と滑車１１とをロープで連結することで設置作業が終了する。
【００８５】  この状態で、ウインチ１０を駆動するとウインチロープ１２がエンドレス状に回転駆動し、該ウインチロープ１２に一端側が固定された吊張体４を引っ張りガイドロープ１３に沿って吊張体４を移動する。これにより、吊張体４で空間部を間仕切りすることができる。しかも、各ロープには適切なテンションがかかっているために、ロープの中間部が下方に弛むことがない。
【００８６】  次に、長期間の使用によりロープの弾性による伸びや温度変化による伸び等による撓みが生じた場合には、調整体１６ａを調整（側壁面３０への挿入距離Ｍ１を調整）することで同時にウインチロープ１２とガイドロープ１３との撓みを調整することができる。
【００８７】  また、吊張体４を収納する場合は、ウインチロープ１２を回転移動して、吊張体４をガイドロープ１３の一方側（取り外す側と逆の方向）に移動した後、調整体１６ａを調整してウインチロープ１２とガイドロープ１３とに撓みを与えた後、取付枠１６よりウインチロープ１２とガイドロープ１３と取り外して収納することができる。又は取付枠１６ごと取り外して収納することもできる。
【００８８】  また、取付枠１６をウインチ１８で調整している場合は、ウインチ１８でロープ１７を巻き取ることで、上記各ロープの撓みを解消することができる。この場合、ウインチ１８の設置する位置を下方側にすることでワイヤー１７の巻き取りをさらに容易に行うことができる。また、吊張体４を収納する場合は、ウインチ１８でロープ１７を引き出すことで、取付枠１６を床面側に移動してウインチロープ１２とガイドロープ１３とを取付枠１６より取り外し、吊張体４を収納することができる。
【００８９】  従来の公知の方式（カーテンや緞帳に使用される方式）で上記のような空間部の支点間にウインチロープ１２とガイドロープ１３とを吊り張りし、該ガイドロープ１３に吊張体４を設けると、各ロープの総質量及び吊張体４の荷重により、ウインチロープ１２とガイドロープ１３との中央部が距離Ｌ約５％以上下方に沈むためにその部分に空間部ができ十分な間仕切りができない（図１６、図１７参照）。
【００９０】  従来はこの空間部を防ぐために、支点間の天井３１側に取り付けられた固定式のネット等の補助吊張体５０の下端部分をウインチロープ１２とガイドロープ１３との下方に下がった中央部よりさらに下方に位置させることで、下方に沈んだ空間部を閉塞しているために、吊張体４を一方側に移動した状態で、補助吊張体５０の下端部分が下方側まで位置しているために、屋内を他目的で利用する場合に下方側に位置する補助吊張体５０の下端部分が問題となった。しかしながら本発明においては補助吊張体５０の下端部分を長く下方に位置させる必要がないために、空間部を広く有効に利用することができる。
【００９１】  また、空間部の大きさに応じて吊張体４の面積が大きくなると、その荷重により上記装置のみでは、各ロープの撓みを解消するのが困難になる場合がある。
【００９２】  この場合は、上記の構成の吊下支持体６で連結具５を介してウインチロープ１２とガイドロープ１３との中央部を吊り上げることで撓みを解消することができる。
【００９３】  上記吊下支持体６は、その長さを調整することができるので、自在にウインチロープ１２とガイドロープ１３との床面に対しての水平状態を微調整することができる。このため、吊張体４の空間部の間仕切り時（移動停止時は少し長めに吊下支持体６を引出し、ウインチロープ１２とガイドロープ１３との緊張を弱めて各ロープの磨耗を少なくし）と、ウインチロープ１２による開閉移動時（吊下支持体６を巻き取りウインチロープ１２とガイドロープ１３との緊張を強めて移動をスムーズに行う）とで、各ロープの撓みを変更して最適な調整を行うことができる。
【００９４】  また、上記吊下支持体６を用いた吊り張り方法は、上記記載に限定されるものでなく、下記のように構成することも可能である。
【００９５】  本実施例の吊下支持体６を用いた他の実施例の構成は、空間部の対向する側壁面３０を支点として取り付けられ、ウインチ１０によりエンドレス状に移動するウインチロープ１２と、該ウインチロープ１２の下方で並行して設けられた２本のガイドロープ１３と、各ガイドロープ１３に移動自在に設けられ、対向する先端をそれぞれ対向するウインチロープ１２に連結した吊張体４と、それぞれのガイドロープ１３の所望の位置（２枚の吊張体４で間仕切りした際、中央に重なる部分が形成される位置）に設けられ、吊張体４の先端側を停止する連結具５と、該連結具５に連結され天井３１に取り付けられた滑車１４を介して昇降自在な吊下支持体６とから構成する（図１１参照）。
【００９６】  上記構成により、使用時においては、先ずウインチ１０でウインチロープ１２を移動すると、ウインチロープ１２の対向する位置に先端側を連結した吊張体４がそれぞれガイドロープ１３に沿って壁面３０側より空間部の中央に向かって移動し、先端部が連結具５に当接する位置（２枚の吊張体４が中央で重なる位置）でその移動が阻止される。これにより２枚の吊張体４で空間部を間仕切りすことができる。
【００９７】  この際、吊下支持体６はそれぞれ一方のガイドロープ１３を上方より支持しているために、ガイドロープ１３にかかる吊張体４の荷重による撓みを解消することができる。また、ウインチロープ１２を上記と逆方向に移動することで２枚の吊張体４をガイドロープ１３に沿って上記とは逆方向（空間部の中央より壁面３０に向かって移動）することで空間部を開放する。
【００９８】  このように、連結具５はその使用目的により、吊張体４のストッパーとしての機能を持つことも可能である。
【００９９】  上記構成をウインチロープ１２を並行して２本設け、各ウインチロープ１２の下方で並行して設けられた２本のガイドロープ１３と、各ガイドロープ１３に移動自在に設けられ、対向する先端をそれぞれ対向するウインチロープ１２に連結した吊張体４とで構成することも可能である。
【０１００】  上記各実施例において、ウインチロープ１２の一端にリミットスイッチとリミット受けを取り付けることで、吊張体４の移動範囲を予め設定することも可能である。
【０１０１】  次に、本発明におけるネット等の吊張体の吊り張り方法の第２の実施例について説明する。
【０１０２】  本発明における第２の実施例の構成は、空間部の対向する側壁面３０の中間部又は下方側を支点としてそれぞれ固定ラック（図示せず）を介して取り付けられた巻取式ウインチ１と、巻取式ウインチ１に巻回され、天井３１側に設けられ滑車２を介して設けられたウインチロープ３（ロープＣも、実施例１の場合と同様にワイヤーを一般的に使用するが、現在開発されている強度のある樹脂ロープも含む）と、ウインチロープ３の先端側に連結体（図示せず）を介して取り付けられたネット又はシートで構成された吊張体４と、吊張体４の中央上端部４ａに連結具５を介して取り付けられた吊下支持体６としての支持ロープと、吊下支持体６を昇降すべく天井３１に固定された支持ウインチ７とから構成されている（図１８参照）。
【０１０３】  尚、支持ウインチ７の固定位置は天井３１に限定されるものでなく、側壁面３０に取り付け滑車を介して天井３１部より吊下支持体６を昇降することも可能である。
【０１０４】  また、支持ウインチ７の数は１つに限定されるものでなく、２以上の支持ウインチ７を設け、吊張体４の上端部４ａの複数箇所（等間隔で）を吊下支持体６で支持することも可能である。要は、間仕切りする吊張体４の水平方向の距離（及び吊張体４の荷重）に応じて、ウインチロープ３を水平に維持することができるように支持する箇所を対応する。
【０１０５】  次に、上記吊張体４の吊り張り方法を用いて間仕切り用として使用する場合について説明する。
【０１０６】  先ず、それぞれの巻取式ウインチ１に巻回されたウインチロープ３を床面に到達する位置まで引き出し、吊張体４の両端側をウインチロープ３の先端側に取り付け、支持ロープ７により床面に到達する位置まで引き出した吊下支持体６を吊張体４の中央上端部４ａに取り付ける。その後、巻取式ウインチ１でウインチロープ３を所望の位置まで巻き取るとともに、支持ウインチ７で吊下支持体６を所望の位置まで巻き取ることで、２本のウインチロープ３と吊下支持体６との３点で吊張体４の荷重を分散しながら吊張体４を床面に対して水平に吊り張りし、空間部を適切に間仕切りする。
【０１０７】  次に、吊張体４を一時的に収納する場合は、巻取式ウインチ１に巻回されたウインチロープ３及び支持ウインチ７に巻回された吊下支持体６を中間位置まで引き出して吊張体４の上端部４ａを中心として水平方向に巻き畳み、その後、巻取式ウインチ１に巻回されたウインチロープ３を引き出しながら、支持ウインチ７で吊下支持体６を天井３１側まで持ち上げる。これにより、天井３１に沿って（略水平状又は円弧状に）吊張体４を収納する。これにより空間部を広く利用することができ、多目的な利用を可能とする。
【０１０８】  また、次回の同様に間仕切りとして使用する時は、巻取式ウインチ１に巻回されたウインチロープ３を巻き取りながら、吊下支持体６を中間位置まで引き出すことで巻き畳まれた吊張体４を広げた後、再度所望の位置まで引き上げて吊り張りすることで間仕切りとして使用する（図１８、図１９、図２０参照）。
【０１０９】  通常、天井３１側には円弧状の吊張体５０（固定式又は移動式）が取り付けられているために、吊張体４はこの吊張体５０に隠れるように収納されることとなり、収納時の吊張体５０が目立たない。
【０１１０】  このように、吊下支持体６は天井側より床面側まで昇降移動できるので、吊張体４を水平状態に維持する位置を上下方向で微調整することが容易に行える。従って、吊張体４を長期間連続して吊り張りした状態で中央部分が下方に撓んでもそのつど容易に水平状態に微調整することができる。
【０１１１】  上記実施例では巻取式ウインチ１でウインチロープ３を巻き取り移動したがこの場合、巻き取り部分でのトラブルが起こった場合や、ウインチ１の取り付け時における作業の煩雑がある。これを解消する場合は、エンドレス状のウインチ１ａを側壁面３０に取り付け、床面側に巻き取リール１ｂを取り付けることで上記欠点を解消することも可能である（図２１参照）。
【０１１２】  上記各実施例は、間仕切り用としての吊張体の吊り張り方法について説明したが、上記方法を用いて屋内施設の内周に沿って取り付けられる防球用の吊張体の吊り張り方法として利用することも可能である。
【０１１３】  次に、本発明のネット等の吊張体の吊り張り方法を防球用（Ｈ）として使用する場合について説明する。
防球用の場合は、取り付ける位置が大空間部の側壁面３０に沿って並行に取り付ける点以外は、その基本構成は上記間仕切り用の各実施例と同様である。また防球用の場合は、天井３１の天頂部より最も離れた位置に取り付けられているために、吊張体４の上端部４ａを吊り上げて支持する吊下支持体６も近い位置より支持することができる。また、天井３１側に固定式のネット等の吊張体５０が設けられている場合もあり、吊張体４の上端部４ａを中心として水平方向に巻き畳んで、吊下支持体６で天井３１側に収納することも可能である。
【０１１４】  また、防球用の吊張体４は取り付けられている位置が側壁面３０に並行して取り付けられているために、吊張体４の上端部４ａの支持は上記天井３１側からだけでなく、側壁面３０より支持することも可能である。この場合における支持方法は下記構成からなる支持体４０で支持する。
【０１１５】  支持体４０の構成は、側壁側３０に対して略垂直状に取り付けられ、先端側が所望の距離伸縮自在な棒状の本体４１と、本体４１を下方から支えるべく該本体４１の略中央部に一端側を連結し他端側を側壁面３０に取り付けた角度調整体４２とから構成され、また、本体４１の先端側は屋内の角部分取り付け際、その長さを調整できるように伸縮自在に構成されている（図２４参照）。
【０１１６】  前記支持体４０を使用することで、側壁側３０の角部分（Ｋ）では壁面３０に沿って取り付けられた支持体４０の本体４１の先端の長さをそれぞれ調整してウインチロープ３を取り付けて、吊張体４を移動する。
【０１１７】  また、本発明の吊張体の吊り張り方法は、大空間部を有する屋内施設で利用される間仕切り用ネット等で確実に空間部を間仕切り（Ｇ）することができ、防球用のネット等で確実に防球（Ｈ）することができる機能を維持し、利用価値を格段に向上することができる。
【０１１８】  また、ネット等の荷重を複数に分割して支持しているために、各ロープへの負担が少なくロープの移動をスムーズに行え、吊張体をスムーズに移動することができ、作業効率を格段に上げることができ、ロープの磨耗を抑えることができるので、メンテナンスの面でも従来に比し格段に改善することができる。
【０１１９】  上記実施例では、吊張体４の上端部４ａを移動ロープからなる吊下支持体６で支持したが、例えば、天井３１に固定された棒状の支持体と、該支持体の上下いずれかに設けられた調整手段（例えば、ターンバックル等）で支持体の長さを調整することで、吊張体４の設けられたガイドロープ１３を緊張状態に支持することも可能である。
【０１２０】  また、各種形状のレール５２（断面略コの字状、下方に側に開口溝の設けられた筒状、または線状等）を使用した吊張体４の開閉方法について説明する。
【０１２１】  先ず、空間部の壁面３０間にレール５２を設置し、ガイドロープ１３をレール５２に沿って並行に、又はレール５２内に設ける。次にガイドロープ１３に直接又は間接的に吊張体４を設け、該吊張体４の先端をウインチロープ１２に連結する。
【０１２２】  上記設置された状態で、ウインチロープ１２をレール５２に沿って移動することで、吊張体４をレール５２に沿って開閉移動でき、空間部を間仕切り（壁面３０に沿って取り付けた場合は防球用として使用）することができる。
【０１２３】  通常、上記空間部に設置するレール５２は複数本連結する必要があるが、レール５２にガイドロープ１３の総質量及び吊張体４の荷重がかかり、レール５２間の継ぎ目部分に大きな負荷がかかりこの部分で段差（略Ｖ字状に下方に下がる）が生じ、スムーズな吊張体４の開閉移動ができない。
従って、この部分に上記と同様の吊下支持体６を連結して、レール５２を床面に対して水平状態に維持する（図２２参照）。
【０１２４】  これにより、ガイドロープ１３に設けられた吊張体４をレール５２に沿ってスムーズに移動し、空間部を間仕切りすることができる。
【０１２５】  上記吊下支持体６を使用する各実施例では、吊下支持体６を天井３１に設けたが、吊下支持体６の設置位置はこれに限定されるものでなく、例えば、屋内施設の大空間部の円弧状の天井３１に天井ネット等の吊張体５０が設けられている場合は、吊下支持体６の上端側を直接吊張体５０に連結することも可能であり、また、吊張体５０の下端側に設けられた揺れ留め防止ロープ５１（吊張体５０に縫うように挿通して両端側を側壁３０に固定する）に上端側を連結することも可能である（図２５、図２６参照）。
【０１２６】  上記実施例では、防球用の吊張体４に関して屋内空間部の側壁に近接する位置に沿って連続して設けたが、例えば、吊張体４の端部分を重ねるように複数設けることで出入り部分を形成するように設けることも可能である。この場合も、それぞれの吊張体４はその上端部が吊下支持体６で支持されている。また、吊張体４部分に２重に重ねた部分を、屋内への出入れ口部分に形成することで開口部とすることも可能である（図２３参照）。
【０１２７】  さらに、上記吊下支持体６を利用して、又は別体の支持体（図示せず）を使用してガイドロープ１３の一方に移動した吊張体４を上方につり上げて収納することができる。この場合も、ガイドロープ１３が吊下支持体６により水平状態に支持されているために、吊張体４を一方に移動しやすくまた移動した後もスムーズに収納することができる。
【０１２８】  また、屋内空間部においては二階席等Ｕがある場合に側面に突出した部分があり通常の吊張体４（矩形状）では確実な間仕切りができない場合は、吊張体４を分割して取り付けるか又は両側が横に広がった吊張体４（突出吊張体４ａと吊張本体４ｂと）を形成する（図２７図）。
【０１２９】  この場合も同様に、ウインチロープ１２をウインチ１０で駆動することで吊張体４をガイドロープ１３に沿って開閉移動する。尚、間仕切りした際、突出吊張体４ａ部分を別体の巻き取り式ウインチ１ｄでそれぞれ上方に巻き上げることで空間部を隙間なく間仕切りする。尚、突出吊張体４ａ部分は二階席等Ｕ部分に固定することで取り付けることも可能である。
【０１３０】  また、上記第２の実施例において、調整手段としてリミッターとリミッター受けとを用いて巻取式ウインチ１よりのウインチロープ３の引出し量を制御することで、吊張体４の弛みを調整し、さらに吊下支持体６を使用して吊張体４の中央部を持ち上げることも可能である。
【０１３１】  また、吊張体４の下端側（床面側）には錘等を設け吊張体４を床面に対して垂直状に位置するように構成されているが、吊張体４の開閉移動時においては吊張体４の荷重及び錘のために吊張体４のウインチロープ１２に連結されている側と床面側とで移動速度が相違し、ウインチロープ１２が引っ張る状態（斜状態でガイドロープ１３に偏った荷重がかかりワイヤーの撓みが発生し易くなる）で移動する。このために、開閉移動時下方を人の手で引っ張る等の補助作業を必要とする。
【０１３２】  これを解決するために、本発明においては、振動手段で吊張体４に振動を付与して床面側の吊張体４の遅れを解消する。
【０１３３】  上記振動手段としては、例えば楕円形の滑車４１にロープを設け滑車の回転でロープに振動を与える方法（滑車４１はテンション体４２で連結しておくことでロープに撓みを与えないように構成する）や、弾性体でロープに引っ張りや撓みを交互に与える方法や、ウインチの駆動（正転、逆転）することでロープに振動を与える等で構成する（図２８）。
【０１３４】  また振動手段を取り付ける位置は、別体のロープを吊張体４の中途部に床面に対して並行に取り付けたり、またはガイドロープ１３やウインチロープ１２を上記方法で構成したすることで取り付けることも可能である。
【図面の簡単な説明】
【０１３５】
【図１】本発明の実施例で間仕切り用として使用するネット等の吊張体の吊張方法を示す概略説明図。
【図２】ネット等の吊張体の吊張方法で吊下支持体の設けられた他実施例を示す概略説明図。
【図３】ネット等の吊張体の吊張方法で吊下支持体の設けられた他実施例を示す概略説明図。
【図４】緊張調整手段としての固定枠の壁面への取り付け状態を示す概略説明側面図。
【図５】緊張調整手段としての固定枠の壁面への取り付け状態の他実施例を示す概略説明側面図。
【図６】緊張調整手段としての固定枠の他実施例を示す概略説明側面図。
【図７】緊張調整手段としての固定枠の他実施例を示す概略説明平面図。
【図８】緊張調整手段としての固定枠の調整を示す概略説明側面図。
【図９】緊張調整手段としての固定枠の調整の他実施例を示す概略説明側面図。
【図１０】吊下支持体１本の場合のネット等の吊張体の吊張方法を示す概略説明図。
【図１１】吊下支持体２本の場合のネット等の吊張体の吊張方法を示す概略説明図。
【図１２】ワイヤーへの連結体の取り付け状態を示す概略正面図。
【図１３】ワイヤーへの連結体の取り付け状態を示す概略正面図。
【図１４】ワイヤーへの連結体の取り付け状態を示す概略側面図。
【図１５】ワイヤーへの連結体の取り付け状態を示す概略側面図。
【図１６】各ワイヤーに弛みが生じた場合を示す概略説明図。
【図１７】ワイヤーの略中央部の弛みを示す概略説明図。
【図１８】ウインチワイヤーでネット等の吊張体を吊張する方法を示す概略説明図。
【図１９】図１８のネット等の吊張体の取り外し工程を示す概略説明図。
【図２０】図１８のネット等の吊張体の収納工程を示す概略説明図。
【図２１】図１８のウインチの他実施例を示す概略説明図。
【図２２】レールに設けられたネット等の吊張体の吊張方法を示す概略説明図。
【図２３】防球用として使用するネット等の吊張体の吊り張り位置を示す概略説明図。
【図２４】壁面に取り付ける角度調整支持体を示す側面図。
【図２５】屋内施設に設置する吊張体の全体構造を示す概略説明図。
【図２６】空間部を天井側に設けられた固定ネットと該固定ネットにより吊下支持体で吊り下げした水平ネットとを示す概略説明図。
【図２７】屋内施設に設置した吊張体の間仕切り状態を示す概略説明図。
【図２８】本発明の振動手段を示す概略説明図。
【符号の説明】
【０１３６】１，１０：ウインチ、４：吊張体、５：連結具、６：支持ロープ、３，１２：ウインチロープ、１３：ガイドロープ、３０：側壁面
【図１】
2008119428.tif 000003
【図２】
2008119428.tif 000004
【図３】
2008119428.tif 000005
【図４】
2008119428.tif 000006
【図５】
2008119428.tif 000007
【図６】
2008119428.tif 000008
【図７】
2008119428.tif 000009
【図８】
2008119428.tif 000010
【図９】
2008119428.tif 000011
【図１０】
2008119428.tif 000012
【図１１】
2008119428.tif 000013
【図１２】
2008119428.tif 000014
【図１３】
2008119428.tif 000015
【図１４】
2008119428.tif 000016
【図１５】
2008119428.tif 000017
【図１６】
2008119428.tif 000018
【図１７】
2008119428.tif 000019
【図１８】
2008119428.tif 000020
【図１９】
2008119428.tif 000021
【図２０】
2008119428.tif 000022
【図２１】
2008119428.tif 000023
【図２２】
2008119428.tif 000024
【図２３】
2008119428.tif 000025
【図２４】
2008119428.tif 000026
【図２５】
2008119428.tif 000027
【図２６】
2008119428.tif 000028
【図２７】
2008119428.tif 000029
【図２８】
2008119428.tif 000030
【手続補正書】
【提出日】平成19年3月20日(2007.3.20)
【手続補正１】
【補正対象書類名】特許請求の範囲
【補正対象項目名】全文
【補正方法】変更
【補正の内容】
【特許請求の範囲】
【請求項１】
屋内施設の空間部の対向する壁面側／壁面の両端側を支点として吊り張りしたロープＡに移動自在に設けられたネット等の吊張体を、該ロープＡに並行して設けられ、吊張体の先端側が取り付けられたロープＢをウインチを用いて移動することで吊張体を開閉して空間部を間仕切り／防球用とする吊張体の吊り張り方法において、前記吊張体の設けられたロープＡとウインチで移動するロープＢとの撓みをそれぞれ調整した後、少なくとも一方の支点の壁面側でロープＡとロープＢとが同一の部材に固定されており、その部材と取り付けられる壁面との距離を調整可能にすることでロープＡとロープＢとを同時に緊張することを特徴とする吊張体の吊り張り方法。
【請求項２】
前記吊張体の上端側、又は吊張体の設けられたロープＡ及びウインチで移動するロープＢを天井又は吊張体の上部側を支点として吊り下げられた吊下支持体で連結することでロープＡ又は／及びロープＢの撓みを調整する請求項１に記載の吊張体の吊り張り方法。
【請求項３】
屋内施設の空間部の対向する壁面側／壁面の両端側を支点としてそれぞれに設けられたウインチを用いてネット等の吊張体の設けられたロープＣを緊張することでネット等の吊張体で空間部を間仕切り／防球用とする吊張体の吊り張り方法において、前記吊張体の上端側を天井又は吊張体の上部側を支点として昇降する吊り下げられた吊下支持体で連結することで、少なくとも３点で吊張体の荷重を分散しながら撓みを調整し、床面に対して水平に吊り張り／巻き畳んで天井側に収納することを特徴とする吊張体の吊り張り方法。
【請求項４】
前記各ロープに設けられたネット等の吊張体を振動手段で振動を付与しながら移動する請求項１乃至３に記載の吊張体の吊り張り方法。
【手続補正２】
【補正対象書類名】明細書
【補正対象項目名】００１７
【補正方法】変更
【補正の内容】
【００１７】  本発明は上記目的を達成するため、第１の手段の吊張体の吊張方法は、請求項１の記載より、屋内施設の空間部の対向する壁面側／壁面の両端側を支点として吊り張りしたロープＡに移動自在に設けられたネット等の吊張体を、該ロープＡに並行して設けられ、吊張体の先端側が取り付けられたロープＢをウインチを用いて移動することで吊張体を開閉して空間部を間仕切り／防球用とする吊張体の吊り張り方法において、前記吊張体の設けられたロープＡとウインチで移動するロープＢとの撓みをそれぞれ調整した後、少なくとも一方の支点の壁面側でロープＡとロープＢとが同一の部材に固定されており、その部材と取り付けられる壁面との距離を調整可能にすることでロープＡとロープＢとを同時に緊張することを特徴とする。
【手続補正３】
【補正対象書類名】明細書
【補正対象項目名】００１９
【補正方法】変更
【補正の内容】
【００１９】  上記目的を達成するための第２の手段の吊張体の吊張方法は、請求項３の記載より、屋内施設の空間部の対向する壁面側／壁面の両端側を支点としてそれぞれに設けられたウインチを用いてネット等の吊張体の設けられたロープＣを緊張することでネット等の吊張体で空間部を間仕切り／防球用とする吊張体の吊り張り方法において、前記吊張体の上端側を天井又は吊張体の上部側を支点として昇降する吊り下げられた吊下支持体で連結することで、少なくとも３点で吊張体の荷重を分散しながら撓みを調整し、床面に対して水平に吊り張り／巻き畳んで天井側に収納することを特徴とする。
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】変更
【補正の内容】
【００２１】  また、上記目的を達成するために、請求項４より各ロープに設けられたネット等の吊張体を振動手段で振動を付与しながら移動することである。
【手続補正６】
【補正対象書類名】明細書
【補正対象項目名】００２４
【補正方法】変更
【補正の内容】
【００２４】  この際、吊張体の設けられたロープＡとウインチで移動するロープＢとの撓みを予めそれぞれ調整した後、少なくとも一方の支点の壁面側でロープＡとロープＢとが同一の部材に固定されており、その部材と取り付けられる壁面との距離を調整可能にすることでロープＡとロープＢとを同時に緊張して各ロープを同時に壁面に取り付けることで、従来のテンションの初期設定に比し二重に両ロープのテンションを調整することができる。
【手続補正７】
【補正対象書類名】明細書
【補正対象項目名】００２５
【補正方法】変更
【補正の内容】
【００２５】  また、上記吊張体を移動して屋内施設の空間部を間仕切り／防球用として使用することで、ロープＡとロープＢとに撓みが発生すると、部材と取り付けられる壁面との距離を調整することで同時にロープＡとロープＢと緊張して撓みを解消することができる。
【手続補正８】
【補正対象書類名】明細書
【補正対象項目名】００２７
【補正方法】変更
【補正の内容】
【００２７】  また、上記部材と取り付けられる壁面との距離を調整するのみで各ロープを緊張することができない場合（特に支点間の距離が長くロープの撓みが大きい場合）においては、吊張体の上端側を天井又は吊張体の上部側を支点として設けられた吊下支持体に連結して直接吊り上げる、又は吊張体の設けられたロープＡ及びウインチで移動するロープＢを天井又は吊張体の上部側を支点に吊り下げられた吊下支持体に連結して吊り上げることで、各ワイヤーの撓みを調整することができる。
【手続補正９】
【補正対象書類名】明細書
【補正対象項目名】００３０
【補正方法】変更
【補正の内容】
【００３０】  この際、ロープＣ自身の総質量及び吊張体の荷重によりロープＣの中央部分が撓み下方に位置すると、吊張体の上端側を天井又は吊張体の上部側を支点として昇降する吊り下げられた吊下支持体で連結し、吊張体を吊り下げることで、少なくとも３点で吊張体の荷重を分散しながら撓みを調整し、床面に対して水平に吊り張り／巻き畳んで天井側に収納する。
【手続補正１０】
【補正対象書類名】明細書
【補正対象項目名】００３３
【補正方法】変更
【補正の内容】
【００３３】  この際、レールは天井又は吊張体の上部側より吊り下げられた吊下支持体で各レールの継ぎ目部分を連結されているために、床面に対して水平状態を維持することができ、ネット等の吊張体をレールに沿ってスムーズに開閉移動することができる。
【手続補正１１】
【補正対象書類名】明細書
【補正対象項目名】００３７
【補正方法】変更
【補正の内容】
【００３７】  また、長期間ネット等の吊張体を設けた状態でもロープＡとロープＢとが同一の部材に固定されており、その部材と取り付けられる壁面との距離を調整可能にすることにより両ロープを同時に緊張することができるために、撓みが生じても従来に比しその撓みを容易に調整することができる。
【手続補正１２】
【補正対象書類名】明細書
【補正対象項目名】００３８
【補正方法】変更
【補正の内容】
【００３８】  また、ロープの弾性による伸びによる撓みに対しても、同様に部材と取り付けられる壁面との距離を調整することにより両ロープを同時に緊張することができる。
【手続補正１３】
【補正対象書類名】明細書
【補正対象項目名】００３９
【補正方法】変更
【補正の内容】
【００３９】  また、部材と壁面との距離の調整によるロープの緊張では十分に対応することができない場合において、吊下支持体によりロープを緊張状態に維持することができる。
【手続補正１４】
【補正対象書類名】明細書
【補正対象項目名】００４７
【補正方法】変更
【補正の内容】
【００４７】  図４乃至図９はロープの緊張調整を示し、図４は緊張調整としての固定枠の壁面への取り付け状態を示す概略説明側面図であり、図５は緊張調整としての固定枠の壁面への取り付け状態の他実施例を示す概略説明側面図であり、図６は緊張調整としての固定枠の他実施例を示す概略説明側面図であり、図７は緊張調整としての固定枠の他実施例を示す概略説明平面図であり、図８は緊張調整としての固定枠の調整を示す概略説明側面図であり、図９は緊張調整としての固定枠の調整の他実施例を示す概略説明側面図である。
【手続補正１５】
【補正対象書類名】明細書
【補正対象項目名】００６１
【補正方法】変更
【補正の内容】
【００６１】  ウインチロープ１２用の滑車１１とガイドロープ１３との端部は前記初期設定された後、それぞれ一体として支点となる側壁面３０に取り付けられている。
【手続補正１６】
【補正対象書類名】明細書
【補正対象項目名】００６２
【補正方法】変更
【補正の内容】
【００６２】  前記一体として支点となる側壁面３０への取り付けはウインチロープ１２用の滑車１１とガイドロープ１３の端部とを取り付ける板状の取付枠１６と、該固定枠１６を側壁面３０に取り付ける棒状の調整体１６ａとから構成されている。従って、調整体１６ａを直接側壁面３０に形成された孔に挿入することにより側壁面３０間の距離Ｍ１を調整して（予め調整体１６ａの長さを調整又はネジ状に形成して孔への挿入量を調整する）ウインチロープ１２とガイドロープ１３とのテンションを同時に調整する（図４、図６参照）。
【手続補正１７】
【補正対象書類名】明細書
【補正対象項目名】００６５
【補正方法】変更
【補正の内容】
【００６５】  また、ウインチロープ１２とガイドロープ１３とを一体として支点となる側壁面３０への取り付ける他の例としては、上記取付枠１６を調整体１６ａを介して側壁面３０に直接取り付けるのではなく、一方の取付枠１６に直接連結された調整用のロープ１７と、該ロープ１７を巻取／引出する調整ウインチ１８とを設ける構成である。
【手続補正１８】
【補正対象書類名】明細書
【補正対象項目名】００７０
【補正方法】変更
【補正の内容】
【００７０】  また、上記支点となる側壁面３０への取り付けは一方の側壁面３０のみに設け他方の側壁面３０にはウインチ１０を直接取り付けることで、ウインチロープ１２をエンドレス状に移動すべく構成することも可能である。
【手続補正書】
【提出日】平成19年6月7日(2007.6.7)
【手続補正１】
【補正対象書類名】特許請求の範囲
【補正対象項目名】請求項３
【補正方法】変更
【補正の内容】
【請求項３】
屋内施設の空間部の対向する壁面側又は壁面の両端側を支点としてそれぞれに設けられたウインチを用いてネット等の吊張体の設けられたロープＣを緊張することでネット等の吊張体で空間部を間仕切り又は防球用とする吊張体の吊り張り方法において、前記ネット等の吊張体の上端側を支点として連結され、天井側より支持ロープを昇降する吊下支持体の支持ロープを上方側に巻き取り移動するとともにロープＣを左右方向側に巻き取り移動することで、少なくとも方向の相違する３点で吊張体の荷重を分散しながら撓みを調整し、床面に対して水平に吊り張りし、天井側に設けられた円弧状の吊張体とで空間部を間仕切り又は防球用とし／巻き畳んだ吊張体を天井側に設けられた円弧状の吊張体に隠れる位置まで上方側に移動し、ロープＣを左右方向側に巻き取り移動することで巻き畳んだ吊張体を収納することを特徴とする吊張体の吊り張り方法。
【手続補正２】
【補正対象書類名】明細書
【補正対象項目名】００１９
【補正方法】変更
【補正の内容】
【００１９】  上記目的を達成するための第２の手段の吊張体の吊張方法は、請求項３の記載より、屋内施設の空間部の対向する壁面側又は壁面の両端側を支点としてそれぞれに設けられたウインチを用いてネット等の吊張体の設けられたロープＣを緊張することでネット等の吊張体で空間部を間仕切り又は防球用とする吊張体の吊り張り方法において、前記ネット等の吊張体の上端側を支点として連結され、天井側より支持ロープを昇降する吊下支持体の支持ロープを上方側に巻き取り移動するとともにロープＣを左右方向側に巻き取り移動することで、少なくとも方向の相違する３点で吊張体の荷重を分散しながら撓みを調整し、床面に対して水平に吊り張りし、天井側に設けられた円弧状の吊張体とで空間部を間仕切り又は防球用とし、または巻き畳んだ吊張体を天井側に設けられた円弧状の吊張体に隠れる位置まで上方側に移動し、ロープＣを左右方向側に巻き取り移動することで巻き畳んだ吊張体を収納することを特徴とする。
【手続補正３】
【補正対象書類名】明細書
【補正対象項目名】００３０
【補正方法】変更
【補正の内容】
【００３０】  この際、ロープＣ自身の総質量及び吊張体の荷重によりロープＣの中央部分が撓み下方に位置すると、吊張体の上端側を天井又は吊張体の上部側を支点として昇降する吊り下げられた吊下支持体の支持ロープで連結し、支持ロープを上方側に巻き取り移動するとともにロープＣを左右方向側に巻き取り移動して吊張体を吊り下げることで、少なくとも方向の相違する３点で吊張体の荷重を分散しながら撓みを調整し、床面に対して水平に吊り張りし、天井側に設けられた円弧状の吊張体とで空間部を間仕切り／防球用とし、または巻き畳んだ吊張体を天井側に設けられた円弧状の吊張体に隠れる位置まで上方側に移動し、ロープＣを左右方向側に巻き取り移動することで巻き畳んだ吊張体を収納する。